(57)【特許請求の範囲】
【請求項１】
筐体と、筐体内部に設けられたロールペーパータオルのロール部分の支持部と、筐体下部に設けられた排紙口と、前記支持部と排紙口との間にあり前記ロール部分から繰り出されたペーパータオルを挟持する排紙ローラ及びニップローラとを備え、前記排紙ローラが駆動源により回転されて、所定長さのペーパータオルを排紙口から自動的に排紙するロールペーパータオル用ディスペンサーであって、
前記排紙ローラと前記排紙口との間に、ペーパータオルの排紙ローラ背面側への移動を規制して排紙口へ案内する遮蔽板が設けられ、前記遮蔽板に排紙口前方縁側に向かって突出する突起部が設けられている、
ことを特徴とするロールペーパータオル用ディスペンサー。
【請求項２】
前記遮蔽板が着脱自在とされている請求項１記載のロールペーパータオル用ディスペンサー。
【請求項３】
排紙ローラが、回転軸に対して複数のロールが間隔を開けて配されたものであり、前記遮蔽板がそれらのロール間にも位置している請求項１又は２記載のロールペーパータオル用ディスペンサー。
【請求項４】
突起部が、前記ロール間に設けられている請求項３記載のロールペーパータオル用ディスペンサー。
【請求項５】
前記排紙ローラは、側端部に駆動源からの駆動力を受ける駆動ギアを有し、その駆動ギアを被覆するギアカバーを有する請求項１〜４の何れか１項に記載のロールペーパータオル用ディスペンサー。
【請求項６】
突起部とニップロールとの間隔が０．５〜１．５ｍｍである請求項１又は４記載のロールペーパータオル用ディスペンサー。
【発明の詳細な説明】
【技術分野】
【０００１】
本発明は、帯状のペーパータオルをロール状に巻取ったロールペーパータオル用のディスペンサーに関し、特に、所定長さのペーパータオルを自動的に取出口から排紙するロールペーパータオル用ディスペンサーに関する。
【背景技術】
【０００２】
図８〜１１に示すように、ロールペーパータオル用ディスペンサーＸ１００においては、使用者等をセンサー等により検知して、筐体内部に回動自在に支持したロールペーパー１０２からペーパータオル１２０を繰り出し、筐体下部に設けられたスリット状の排紙口１０６から自動的に適宜長のペーパータオル１２０Ａを排紙して裁断可能にする自動排紙タイプのものが知られる。自動排紙タイプのロールペーパータオル用ディスペンサーは、オートディスペンサー、ハンズフリーディスペンサーなどとも称される。
【０００３】
この種の自動排紙タイプのディスペンサーにおける排紙は、特に図９に示すように、筐体内の排紙口近傍に設けられた排紙ローラ１０４とニップローラ１０５とでロール１０２から繰り出されたペーパータオル１２０を挟持し、前記排紙ローラ１０４をモーター等の動力（図示しない）によって回転させてペーパータオル１２０を排紙口１０６から露出させる。
【０００４】
他方、ロールペーパータオル用ディスペンサーは、一般に筐体背面が壁Ｗに接するようにして設置させることが多いことから、排紙口１０６は筐体下部の前方に設けられる。また、使用者が排紙口１０６から露出したペーパータオル１２０Ａを手で掴み手前上方方向に引っ張り、上記スリット状の排紙口１０６の前方縁にペーパータオルを当てて裁断することを想定して排紙口１０６の前方縁側に裁断刃１６０を設ける。
【０００５】
しかし、使用者の上記裁断操作において、その前方への引っ張りが不十分であり、裁断刃１６０に沿って綺麗に一直線にペーパータオル１２０Ａの裁断がなされない場合がある。より具体的に説明すると、例えば、使用者が右利きの場合、利き手である右手でペーパータオル１２０Ａの向かって右側部を掴み、その後に利き手と反対の左手前方向（図８中Ｚ１方向）に引っ張るように操作することが多い。そして、この際、ペーパータオル１２０Ａの向かって右側部がまず裁断刃１６０に接触して裁断のきっかけとなる切り込みが形成され、その後に裁断刃１６０に沿って綺麗に一直線上にペーパータオル１２０Ａの切断がなされる。しかし、使用者が十分に手前方向にペーパータオル１２０Ａが引っ張られず、図８中Ｚ２で示すように、横方向へペーパータオル１２０Ａを引っ張ってしまうと、ペーパータオル１２０Ａが十分に裁断刃１６０に当たらずペーパータオル１２０Ａが綺麗に切断されないことがある。
【０００６】
この裁断不良は、近年のロールペーパータオル用ディスペンサーのコンパクト化により顕著となってきている。すなわち、近年のコンパクト化されたロールペーパータオル用ディスペンサーでは、ロール１０２から排紙口１０６までの距離が近く、ガイドローラも少ないことからロール１０２の巻き癖が伸ばされない状態で排紙口１０６からペーパータオル１２０Ａが露出され、その結果、図９に示すように、排紙口１０６から露出されたペーパータオル１２０Ａが背面側へ若干カールし、排紙口１０６から露出されたペーパータオル１２０Ａが裁断刃１６０から遠くなる傾向にある。これはロールの芯際になるほど顕著になる。このため、ペーパータオル１２０Ａの裁断操作の際、特に裁断操作の初期の切り込み形成の際に、ペーパータオル１２０Ａが裁断刃１６０に当たらないことがあるのである。なお、この裁断不良は、手動でペーパータオルを引き出すタイプでは、使用者がペーパータオルを引き出す操作も行うので、その引き出しの際にある程度のテンションをもって手前に引き出すため、カールによってペーパータオルが背面側へ向かうこともなく、さほど顕著とはなっていない。
【０００７】
そして、自動排紙タイプのディスペンサーにおいては、上記裁断操作による裁断不良が生じた場合に問題が顕著となる。（１）ペーパータオルはティシュペーパー等と比較して紙の強度が高いために、裁断刃に沿って綺麗に裁断されない場合、図１０に示すように、引きちぎられることになり、その際にペーパータオル１２０が排紙ローラ１０４、押えローラ１０５の左右のどちらかに寄って皺となりやすい。また、中央部でペーパータオルの切れ残りにより皺が発生することもある。このように裁断端に皺が寄ってしまうと、排紙ローラ１０４と押えローラ１０５によるペーパータオル１２０の挟持が不十分となり、次回の強制的な自動排紙の際に、ペーパータオル１２０が繰り出されなくなることがある。また、（２）ペーパータオル１２０が引きちぎられた場合、皺の発生とともに或いはそうでなくとも、裁断端が裁断刃よりもケース内部に達し、酷い場合は排紙ローラ１０４と押さえローラ１０５による挟持位置を超えて、ケース内部側にまで達してしまう。このようになると、ペーパータオル１２０が排紙ローラ１０４や押えローラ１０５に巻きついて、自動排紙がなされずペーパータオル１２０が繰り出されなくなることがある。さらに、（３）ペーパータオル１２０が引きちぎられた結果、ペーパータオル１２０が裁断刃に引っかかり、次回の強制的な自動排紙の際に、スリット状の排紙口１０６からペーパータオル１２０Ａが露出されず、特に、排紙ローラ１０４に巻き込まれるかたちでペーパータオル１２０が排紙ローラ１０４の下部から筐体背面側へ移動されて紙が詰まり、排紙ローラ１０４が動かなくなる。さらに、図１１に示すように、（４）特に、芯際に近くなった時に、ペーパータオル１２０が巻ぐせによりカールし、排紙ローラでペーパータオル１２０を繰り出しても排紙口１０６から排紙されず、排紙ローラ下部に入り込むことがある。この場合、ディスペンサーを開けて手でペーパータオル１２０を排紙口１０６から露出させる手間が必要となる。
【先行技術文献】
【特許文献】
【０００８】
【特許文献１】特開２０１１−５０５２２２
【特許文献２】特表２００８−５２１５４９
【特許文献３】特開２０１０−０６８９７２
【特許文献４】特開２００７−２２２３７２
【特許文献５】特開２００７−１９０２９２
【特許文献６】特表平１０−５０００６８
【発明の概要】
【発明が解決しようとする課題】
【０００９】
そこで、本発明の主たる課題は、自動排紙タイプのロールペーパータオル用ディスペンサーにおける紙詰まりや裁断不良を改善することにある。また、副次的に自動排紙タイプのディスペンサー一般に望まれる省電力化をも図る。
【課題を解決するための手段】
【００１０】
上記課題を解決した本発明は次記のとおりである。
＜請求項１記載の発明＞
筐体と、筐体内部に設けられたロールペーパータオルのロール部分の支持部と、筐体下部に設けられた排紙口と、前記支持部と排紙口との間にあり前記ロール部分から繰り出されたペーパータオルを挟持する排紙ローラ及びニップローラとを備え、前記排紙ローラが駆動源により回転されて、所定長さのペーパータオルを排紙口から自動的に排紙するロールペーパータオル用ディスペンサーであって、
前記排紙ローラと前記排紙口との間に、ペーパータオルの排紙ローラ背面側への移動を規制して排紙口へ案内する遮蔽板が設けられ、前記遮蔽板に排紙口前方縁側に向かって突出する突起部が設けられている、
ことを特徴とするロールペーパータオル用ディスペンサー。
＜請求項２記載の発明＞
前記遮蔽板が着脱自在とされている請求項１記載のロールペーパータオル用ディスペンサー。
＜請求項３記載の発明＞
排紙ローラが、回転軸に対して複数のロールが間隔を開けて配されたものであり、前記遮蔽板がそれらのロール間にも位置している請求項１又は２記載のロールペーパータオル用ディスペンサー。
＜請求項４記載の発明＞
突起部が、前記ロール間に設けられている請求項３記載のロールペーパータオル用ディスペンサー。
＜請求項５記載の発明＞
前記排紙ローラは、側端部に駆動源からの駆動力を受ける駆動ギアを有し、その駆動ギアを被覆するギアカバーを有する請求項１〜４の何れか１項に記載のロールペーパータオル用ディスペンサー。
＜請求項６記載の発明＞
突起部とニップロールとの間隔が０．５〜１．５ｍｍである請求項１又は４記載のロールペーパータオル用ディスペンサー。
【００１１】
（作用効果）
本発明では、排紙ローラと排紙口との間に、遮蔽板を設けたため、排紙ローラにペーパータオルが巻き込まれてペーパータオルが背面側に移動されないので、紙詰まりが防止される。また、好ましく前記遮蔽板を着脱自在にすることで、排紙ローラの清掃や内部メンテナンスが容易となる。
さらに、排紙口前方縁側に裁断刃を設け、前記遮蔽板に前記排紙口前方縁側に突出する突起部を設けると、排紙口から露出するペーパータオルが排紙口前方縁側へ寄せられるため使用者が裁断操作をしたさいに排紙口前方縁にペーパータオルが当たることになり裁断不良が防止される。
この場合、特に前記突起部とニップローラとの間隔を０．５〜１．５ｍｍとすると、詰まり、裁断不良の防止効果がより高まる。
【００１２】
他方、本発明の自動排紙タイプのロールペーパータオル用ディスペンサーでは、省電力化が望まれるが、その省電力化を達成するには駆動させる排紙ローラの重量を軽量にすることが有効である。そこで、本発明の請求項４記載の発明のように、排紙ローラを回転軸に対して複数のロールが間隔を開けて配された構造とすると、ロール間が肉抜きされているのと同様となり、重量軽減が図られ省電力化が図られる。なお、このようにロール間に空隙があると、上記背景技術で説明した裁断不良が生じた場合にはロール間に皺の寄ったペーパータオルが入り込み紙詰まりが助長されることになるが、本発明では遮蔽板をロール間にも位置させたため、そのような紙詰まりは生じない。すなわち、本発明では、省電力化と紙詰まりの改善が同時に図られる。また、合わせて、ロール間にも突起部を設けることで、裁断不良の問題もより好適に改善される。
【００１３】
他方、自動排紙タイプのロールペーパータオル用ディスペンサーでは、排紙ローラの側部に駆動ギアが配置されることがあり、この場合、駆動ギア部分においても紙詰まりの発生のおそれがあるため、ここにギアカバーを配置することで、駆動ギア部分における紙詰まりが防止され、本発明の紙詰まり防止効果が効果的に得られる。
【発明の効果】
【００１４】
以上の本発明によれば、自動排紙タイプのロールペーパータオル用ディスペンサーにおける紙詰まりや裁断不良が防止される。また、自動排紙タイプのディスペンサーにおける省電力化をも図られる。
【図面の簡単な説明】
【００１５】
【図１】本発明に係るロールペーパータオル用ディスペンサーの底面側からの斜視図である。
【図２】本発明に係るロールペーパータオル用ディスペンサーの上面側からの斜視図である。
【図３】本発明に係るロールペーパータオル用ディスペンサーの内部構造例を模式的に示す内部構造側面図である。
【図４】本発明に係るロールペーパータオル用ディスペンサーにおけるロールペーパーの取り付け態様例を示すための斜視図である。
【図５】本発明に係るロールペーパータオル用ディスペンサーの内部構造例の特に排紙ローラ及びニップローラ近傍を模式的に表した正面図である。
【図６】図５の内部構造例の駆動ギア近傍を示す側面図である。
【図７】本発明のロールペーパータオル用ディスペンサーの別の内部構造例の特に排紙ローラ及びニップローラの近傍を模式的に表した正面図である。
【図８】従来のロールペーパータオル用ディスペンサーの底面側の斜視図であり、切り取り態様を説明するための図である。
【図９】従来のディスペンサーの内部構造を模式的に表した側面図である。
【図１０】従来のディスペンサーの内部構造の特に排紙ローラ及びニップローラの近傍を模式的に表した正面図である。
【図１１】従来のディスペンサーの内部構造を模式的に表した他の側面図である。
【図１２】図３のＰ部分の拡大図である。
【発明を実施するための形態】
【００１６】
次いで、本発明の実施の形態を図１〜７を参照しながら以下に詳述する。
本形態の自動排紙タイプのロールペーパー用ディスペンサーＸ１（以下、単にディスペンサーＸ１ともいう）は、手や顔などの肌の清拭や食材のドリップや水分等の拭き取りに用いられる長尺帯状のペーパータオルを紙管に巻き付けてロール状としたロールペーパータオル用のディスペンサーＸ１である。
【００１７】
本形態のディスペンサーＸ１は、その素材が例えばＡＢＳ樹脂等の合成樹脂、或いは金属素材である筐体１の内部に、ロールペーパータオル（以下、単にロールペーパーともいう）のロール部分２を回動自在に支持する支持部３２と、そのロール部分２から繰り出されたペーパータオル２０をニップする回動自在な排紙ローラ４及びニップローラ５と、前記排紙ローラ４を駆動させるモーターなどの図示されない電力駆動源とが配置されており、適宜の位置に設けたセンサー等による被検知物（例えば、使用者の手）の検知によって電力駆動源が作動し、前記排紙ローラ４が回転させられ、前記筐体１の下部に配置された排紙口６から、適宜長さのペーパータオル２０を筐体１外に自動的に露出させるものである。
【００１８】
前記筐体１は、前面開放のケース本体１０と、ケース本体１０の前面開放部分を被覆する蓋体１１とで構成され、その下部に前記支持部に支持されたロールペーパー２から巻き出されたペーパータオル２０を筐体外部に露出させるスリット状の排紙口６を有する。
【００１９】
図示例では、ケース本体１０は、天板部１２と底板部１３と背板部１４とこの背板部１４の両側縁若しくは両側縁部から手前に延在する左右一対の本体側板部１５，１５とで構成され、前記背板部１４を介して壁面等に設置される。また、蓋体１１は、上部がケース本体１０の天板部１２と一連となるような湾曲面部分を有する前板部１６と、この前板部１６と直角をなして奥側（背板側）に延在する左右一対の蓋体側板部１７，１７とを有し、ケース本体１０の正面側開放部分を被覆すように配置され、前記ケース本体１０とともに箱型の筺体１を構成している。
【００２０】
また、図示例では、蓋体１１は、ケース本体１０に対して軸１０Ａを介してハッチ式に取付けられ、図２中一点鎖線で示すように蓋体１１を手前に引き下げることにより、ケース本体１０が前面開放状態となり、筺体内部の支持部３０や排紙ローラ４等の内部機構が露出され、ロールペーパー２の交換が可能となっている。図示の形態では、ハッチ式にするにあたって、ケース本体１０と蓋体１１とを各側板部１５，１７の下部に設けた回転軸を介して連結し、ケース本体１０の上面に形成した係止凸部１８と蓋体の上面に形成した係止凹部１９との係止によってケース本体１０の前面開放部が蓋体１１によって閉じられるようにして構成している。
【００２１】
他方、排紙口６は筐体下部において筐体の幅方向に延在するようにスリット状に設けられ、図示例では、特に、ケース本体１０の底板部１３の前面側縁部と蓋体１１の下端縁部との間を排紙口６としている。なお、排紙口６は、ケース本体１０の底板部１３や蓋体１１に底板部を設けてそこに形成してもよい。
【００２２】
他方、本形態では、排紙口６から露出されたペーパータオル２０Ａの切り取りを容易にすべく、排紙口６の前面側縁に沿って裁断刃６０が取付けられている。図示例では裁断刃６０は鋸刃とされているが、これに限らない。なお、このカッター刃は、金属或いは硬質可塑性樹脂などにより形成することができる。
【００２３】
他方、前記筐体１内に収納されるロール部２の支持部３０は、既知の構成を採ることができる。図示の形態では、前記背板部１４の両側板近傍からそれぞれ前板側（壁面取付け時における手前側）に向かって所定長さ延出する一対の腕部３１，３１を有し、その腕部３１，３１の先端に支持体３２，３２が取付けられている。なお、図示例に限らず腕部３１，３１は、側板部１５から水平方向に突出するように延出している態様であってもよいし、天板部１２から垂下するような態様であってもよいし、底板部１３から天板部１２に向かって起立するものであってもよい。腕部３１，３１は、本発明の効果を妨げない範囲で支持部３２を所定位置に位置せしめるものであれば、その具体的な態様は限定されない。
【００２４】
図示の支持体３２，３２は、通常状態において筐体内側部において水平方向内側に向かって突出しており、この支持体３２，３２の少なくとも一方が前記通常状態に付勢された状態で、その基端部を軸として図４中一点鎖線Ａで示すように上方へ向かって跳ね上がるように構成されている。そして、前記一対の支持体３２，３２の先端３２ｔ，３２ｔ間が、通常状態でロール部２の紙管の長さ（幅）未満の距離とされ、その先端３２ｔ，３２ｔ部分が上方に跳ね上がった際に支持体の先端３２ｔ，３２ｔ間がロールペーパー２の幅よりも広くその間隔が開くようになっている。ロールペーパータオルの取付け時には、前記支持体３２を跳ね上げた状態にして支持体３２，３２間にロールペーパー２を挿入し、その後に支持体を通常状態位置へ付勢によって戻し、支持体先端３２ｔ，３２ｔを紙管内に位置させてロール部２を支持体３２，３２に支持する。
【００２５】
他方、本形態のディスペンサーＸ１は、前記ロール部２を支持部３０に取付けたときの軸心と概ね平行に位置する棒状の回転軸４０の外周に表面がゴム等の滑り止め素材で構成された複数のロール４１，４１…が間欠的に配された構造の排紙ローラ４と、これと対となるニップローラ５とが前記支持体３２の下方（底板側）の排紙口近傍に設けられており、前記排紙ローラ４とニップローラ５とによって前記ロール部分２から巻き出されたペーパータオル２０を挟持し、前記排紙ローラ４の回転によってペーパータオル２０を排紙口６から排紙するようになっている。本形態では、上記のとおり排紙ローラ４を回転軸４０に対して同軸に複数のロール４１，４１…を幅方向に間欠的に設けた構造とすることで、排紙ローラ４全体としての重量軽減を図り、省電力化を図っている。また、図示例では、特に好ましく、ロール４１，４１…を幅方向の中央部が密に側部が疎となるように間隔を開けて配置している。このようにすると、ペーパータオル２０が各ローラ４１，４１…により引っ張られた際に、幅方向側方に力が逃げ易くなり、繰り出し時に皺が入り難くなる。なお、幅方向に間欠的にロール４１，４１…を設けることで、ロール４１，４１…のペーパータオルに対する接触圧を高めることができ、滑りを生じることなく所定長のペーパータオル２０Ａを確実に排紙させることができるようになる。なお、前記ロール４１の数は特に限定されない。
【００２６】
他方、本形態においては前記排紙ローラ４は、回転軸４０の一端側（図示例では向かって右手側）に設けられた駆動ギア４２を介して、図示しない駆動源からの駆動力が伝達され回転させられる。駆動源は、既知のモーター等であり、駆動及び停止は、センサーによる検知信号に応じて行なわれる。
【００２７】
また、本形態においては、排紙ローラ４が前記ケース本体１０に対して取り付けられ、ニップローラ５が蓋体１１に対して取り付けられており、蓋体１１を開いた際に、排紙ローラ４とニップローラ５が離間して、ペーパータオル２０の挟持が開放されるようになっており、メンテナンス性を向上させている。
【００２８】
なお、排紙ローラ４を駆動させるための構造は、上記駆動ギア４２を介する構成に限らず、ギア、無端ベルト、プーリーなどの既知に機構を適宜介在させて前記回転軸４１を回転させるようにしてもよい。また、回転軸４０を直接的にモーターの回転軸に同軸に連結して回転させるようにしてもよい。
【００２９】
他方、駆動源の駆動及び停止をさせるためのセンサーは、自動排紙タイプのロールペーパータオル用ディスペンサーに採用される既知のものを用いることができる。例えば、赤外線を所定の放射角で照射し、その照射部分である検知範囲に被検知物が進入したことを受信部で検知するＩＲセンサーが例示できる。
【００３０】
本形態では、図示はしないがかかるＩＲセンサー等を例えば筐体下部に設け、その検知範囲に使用者の手等の被検知物が進入したことを検知し、制御手段を介して排紙ローラ４の駆動源を所定時間駆動させるようにすることにより、駆動源の駆動時間に応じた前記排紙ローラ４の回転分だけ、排紙口６からペーパータオル２０が露出されるようにしている。
【００３１】
他方、本発明のディスペンサーＸ１では、特徴的に、排紙口６と排紙ローラ４との間に遮蔽板７が設けられている。本形態においては、特に、排紙口６の背面側縁部から上方に向かって立設するようにして遮蔽板７を設け、排紙口６の背面側縁６１と遮蔽板７の立設位置とをほぼ一致させることで、ペーパータオル２０の排紙口６へのスムーズな案内と、排紙ローラ４によるペーパータオル２０の巻き込みを効果的に防止している。なお、本発明は、この構成に限定はされないが、遮蔽板７は排紙口６の背面側縁６１から前後３ｍｍ程度以内に設けるのが望ましい。
【００３２】
また、遮蔽板７の立設位置は、好ましくは、排紙ローラ４の回転軸４０の直下よりも前方（前板側）である。このように回転軸４０の直下よりも前方に位置させると、ペーパータオル２０が排紙ローラ４或いはロール４０に巻き込まれ難くなり、紙詰まりを防止する効果が高まる。
【００３３】
本形態においては、上述のとおり排紙ローラ４が回転軸４０に対して複数のロール４１，４１…が設けられている構造をとっており、前記遮蔽板７は、その上方側縁が各ロール４１の間４１Ａに入り込む形状となっている。かかる形状を採ることで、ローラ４１，４１の間４１Ａ，４１…にも遮蔽板７の一部７Ａが介在し、かかるロール間４１Ａ位置におけるペーパータオル２０の巻き込みが防止される。ここで、遮蔽板７と回転軸４０及びロール４１との間の距離は、３ｍｍ以下とする望ましい。３ｍｍ以上であると、排紙ローラ４（回転軸４０、ロール４１）と遮蔽板７との間にペーパータオル２０が入り込むおそれがある。
【００３４】
また、前記遮蔽板７は、排紙ローラ４等のメンテナンス、清掃の際に取り外せるように、着脱自在とするのが望ましく、図示の遮蔽板７では、下部両側端に係止突起７１，７１を形成し、幅方向の適宜の位置に係止孔７２を形成し、これら係止突起７１及び係止孔７２をケース本体１０に形成した係止部７３に係止することで着脱自在に取り付けられるようにしている。なお、着脱自在にするには、この構成に限らず、適宜の係止構造等を採ることができる。
【００３５】
他方、本形態における遮蔽板７には、前記排紙口６の前方縁側、すなわち裁断刃６０側に向かって突出する突起部７４が設けられている。この突起部７４は、排紙口６の背面側縁６１よりも前方側に突出されており、ペーパータオル２０Ａを排紙口６の裁断刃６０側に寄せる作用を奏する。図示例では、突起部７４の上部７４ｕが上方に向かってスラントするように切り欠かれているとともに、下端が遮蔽板７の中央部より下方にまで延在し、上方から搬送されるペーパータオル２０をスムーズに排紙口６の裁断刃６０が設けられている前方縁側に案内して寄せるようになっている。また、本形態では、上述のとおり排紙ローラ４が回転軸４０に対して複数のロール４１，４１が設けられている構造をとり、遮蔽板７の一部がそれらのロール４１，４１…の間に入り込む形状となっていることから、前記突起部７４が好ましく、排紙ローラ４の側部に加え、排紙ローラ４を構成する各ロール４１，４１の間にも配置されている。このようにすることで、ペーパータオル２０が幅方向にわたって裁断刃６０が設けられている排紙口６の前方縁側に寄せられる。
【００３６】
遮蔽板７によって、排紙口６の前方縁側に紙が寄せられることにより、排出されたペーパータオル２０Ａが排紙口６の延在方向に引っ張られやすい状況、設置場所でもペーパータオル２０Ａが裁断刃６０に対して一定の角度で当たりやすくなり、スムーズな裁断がなされるようになる。また、裁断不良が意図せずに発生してしまったとして排紙ローラ４とニップローラ５の挟持位置より奥側にまでペーパータオル２０の裁断端の一部が達してしまったとしても、突起物７４の上部７４ｕがスラントしているため、これに沿ってガイドされてニップローラ５にペーパータオルが巻き込まれることなくスムーズに排紙口６へ向って繰り出しがなされる。なお、前記突起物７４は排紙ローラの近くに配設するのが望ましい。意図せず裁断不良が発生してしまった場合でも、排紙ローラと押さえローラにペーパータオルが挟持されている部分の方が、排紙ローラと押さえローラよりも奥側で千切れにくいからである。
ここで、特に図１２に示すように、前記突起部７とニップローラ５との間の間隔Ｌ１は０．５〜１．５ｍｍとするのが望ましい。この範囲であると、突起部７と押さえローラ５との間に紙が極めて詰まり難く、また、裁断刃６０に対してペーパータオルが当たりやすい。もって、詰まり防止効果が高く、また裁断もしやすいものとなる。なお、突起部７とニップローラ５との間の間隔は、最も接近している部分の間の距離である。
【００３７】
他方、本形態のディスペンサーＸ１では、上記遮蔽板による紙詰まり防止効果を確実なものとすべく、排紙ローラの側部に設けた駆動ギア４２を被覆する駆動ギアカバー４５を設けている。この駆動ギアカバー４５は、特に図５、図６から理解されるように、駆動ギア４２の幅よりも若干幅広で、駆動ギア４５の筐体前面側を被覆するように取り付けられている。このように駆動ギアカバー４５を設けることで、駆動ギア部におけるペーパータオル２０の巻き込みも防止される。
【００３８】
以上の構成の本発明によれば、従来のディスペンサーを示す図９と本発明のディスペンサーを示す図３との比較により理解されるように、支持部３０に支持されたロール部２から繰出されるペーパータオル２０が、排紙口６の前方縁側の裁断刃６０に寄せられ、使用者が裁断時にペーパータオル２０Ａの引っ張り操作を行なう際に、手前側への引っ張りが弱い場合にも、ペーパータオル２０Ａが裁断刃６０に当りやすく裁断不良が効果的に防止されるとともに、遮蔽板７の存在によってペーパータオル２０が排紙ローラ４に巻き込まれて紙詰まりが生ずることも防止される。
【００３９】
なお、上記説明では、排紙ローラ４を回転軸４０に対して間欠的に複数のロール４１，４１を設けたものとしたが、図７に示すように、回転軸４０に対して一つのロール４１を配した構造としてもよい。
【００４０】
以上の本発明では、裁断不良によるペーパータオルの詰まり等の問題が大幅に改善される。
（試験例）
上記本実施形態に係るペーパータオルディスペンサーにおいて突起部６とニップローラ７との間の間隔と「詰まりの程度」及び「裁断刃への当たり」との関係について試験を行なった。
結果は下記表１のとおりであり、特に０．５〜１．５ｍｍの間隔がある場合に良好な結果が得られた。
なお、試験は、５０回の裁断テストを行なった際の結果であり、表中の「詰まりの程度」の評価は、○：まったく詰まらない（詰まり０回）、△：ほとんど詰まらない（詰まり５回未満）、×：詰まることがあった（詰まり５回以上）、を意味している。
また、「裁断刃への当たり」の評価は、○：ペーパータオルが裁断刃へ確実に当たっている、△：ペーパータオルが裁断刃へほとんど当たっている、×：ペーパータオルが裁断刃へ当たっていないことがある、を意味している。
【表１】
0005963246.tif 000002
【符号の説明】
【００４１】
Ｘ１…ロールペーパータオル用ディスペンサー、１…筐体、２…ロールペーパータオルのロール部、２０…ロール部から繰出されたペーパータオル、４…排紙ローラ、５…ニップローラ、６…排紙口、１０…ケース本体、１１…蓋体、１２…天板部、１３…底板部、１４…背板部、１５…本体側板部、１６…前板部、１７…蓋体側板部、１８…係止凸部、１９…係止凹部、６０…裁断刃、３０…支持部、３１…腕部、３２…支持体、３２ｔ…支持体の先端、４０…回転軸、４１…ロール、４１…ロール間の間隙、４２…駆動ギア、７…遮蔽板、７Ａ…遮蔽板の一部、７１…係止突起部、７２…係止孔、７３…係止部、７４…突起部、７４ｕ…突起部の上部、Ｌ１…突起部とニップローラとの間隔。
【図１】
0005963246.tif 000003
【図２】
0005963246.tif 000004
【図３】
0005963246.tif 000005
【図４】
0005963246.tif 000006
【図５】
0005963246.tif 000007
【図６】
0005963246.tif 000008
【図７】
0005963246.tif 000009
【図８】
0005963246.tif 000010
【図９】
0005963246.tif 000011
【図１０】
0005963246.tif 000012
【図１１】
0005963246.tif 000013
【図１２】
0005963246.tif 000014